(57)【要約】ディスク認証のための方法及び装置が開示される。認証方法は、データディスクの２つのデータ層に関連する角度及び偏心パラメータのうちの少なくとも１つを含むデータディスクの少なくとも１つの物理特性を測定するステップと、測定された物理特性と物理特性に関するデータディスク上の符号化された情報との間に整合性があるかどうかを決定することによってディスクを認証するステップとを有する。
2014531697.tif 000002
【特許請求の範囲】
【請求項１】
角度及び偏心パラメータのうちの少なくとも１つを特徴とする第１データ層及び第２データ層と、
前記角度及び前記偏心パラメータのうちの少なくとも１つに関する符号化された情報と
を有するデータディスク。
【請求項２】
前記少なくとも１つの角度は、前記第１データ層における第１セクタと前記第２データ層における第２セクタとの間に定められる、
請求項１に記載のデータディスク。
【請求項３】
前記少なくとも１つの角度は、複数のセクタ対に関して定められる複数の角度を含み、夫々のセクタ対は、前記第１データ層における第１セクタ及び前記第２データ層における第２セクタを有する、
請求項１に記載のデータディスク。
【請求項４】
前記少なくとも１つの角度は、前記第１データ層及び前記第２データ層の相対的な向きに関連づけられる、
請求項１に記載のデータディスク。
【請求項５】
前記偏心パラメータは、偏心の大きさ及び偏心の角度のうちの少なくとも１つを含む、
請求項１乃至４のうちいずれか一項に記載のデータディスク。
【請求項６】
前記偏心の角度は、前記第１データ層及び前記第２データ層のうちの少なくとも１つに関して定められる、
請求項５に記載のデータディスク。
【請求項７】
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
請求項１乃至６のうちいずれか一項に記載のデータディスク。
【請求項８】
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
請求項７に記載のデータディスク。
【請求項９】
前記符号化された情報は、前記角度及び前記偏心パラメータのうちの少なくとも１つに関する関数から計算される少なくとも１つの識別子を含む、
請求項１乃至８のうちいずれか一項に記載のデータディスク。
【請求項１０】
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
請求項１乃至９のうちいずれか一項に記載のデータディスク。
【請求項１１】
前記符号化された情報は、当該データディスクに関し、バーストカッティングエリア及び無線周波数識別チップのうちの少なくとも１つにおいて提供される、
請求項１乃至１０のうちいずれか一項に記載のデータディスク。
【請求項１２】
前記第１データ層は第１の基板に形成され、前記第２データ層は第２の基板に形成され、当該データディスクは、前記第１の基板を前記第２の基板に固着することによって形成される、
請求項１乃至１１のうちいずれか一項に記載のデータディスク。
【請求項１３】
前記第１データ層及び前記第２データ層は単一の基板に形成される、
請求項１乃至１２のうちいずれか一項に記載のデータディスク。
【請求項１４】
データディスクを形成する方法であって、
少なくとも１つの基板に、角度及び偏心パラメータのうちの少なくとも１つを特徴とする第１データ層及び第２データ層を形成するステップと、
前記角度及び前記偏心パラメータのうちの少なくとも１つに関する符号化された情報をデータディスクに設けるステップと
を有する方法。
【請求項１５】
ディスク認証の方法であって
第１データ層及び第２データ層と、該第１データ層及び第２データ層に関連する角度及び偏心パラメータのうちの少なくとも１つに関する符号化された情報とを有するデータディスクを提供するステップと、
前記角度及び前記偏心パラメータのうちの少なくとも１つを測定するステップと、
前記測定された角度及び前記測定された偏心パラメータのうちの少なくとも１つを前記符号化された情報と比較することによってデータディスク認証するステップと
を有する方法。
【請求項１６】
前記少なくとも１つの角度は、前記第１データ層及び前記第２データ層の相対的な向きに関連づけられる、
請求項１４又は１５に記載の方法。
【請求項１７】
前記少なくとも１つの角度は、複数のセクタ対に関して定められる複数の角度を含み、夫々のセクタ対は、前記第１データ層における第１セクタ及び前記第２データ層における第２セクタを有する、
請求項１４又は請求項１５に記載の方法。
【請求項１８】
前記少なくとも１つの角度は、前記第１データ層及び前記第２データ層の相対的な向きに関連づけられる、
請求項１４又は１５に記載の認証方法。
【請求項１９】
前記偏心パラメータは、偏心の大きさ及び偏心の角度のうちの少なくとも１つを含む、
請求項１５乃至１８のうちいずれか一項に記載の方法。
【請求項２０】
前記偏心の角度は、前記第１データ層及び前記第２データ層のうちの少なくとも１つに関して定められる、
請求項１９に記載の方法。
【請求項２１】
前記偏心パラメータは、前記第２データ層に対する前記第１データ層、前記第１データ層を含む第１の基板の中心に対する前記第１データ層、及び前記第１の基板の中心に対する前記第２データ層、のうちの少なくとも１つに関して定められる、
請求項１４乃至２０のうちいずれか一項に記載の方法。
【請求項２２】
前記第２データ層に対する前記第１データ層の前記偏心パラメータは、前記第１データ層及び前記第２データ層の夫々の中心の間のオフセットによって与えられる大きさと、前記第１データ層に関連する第１の角度と前記第２データ層に関連する第２の角度との間の差として定義される偏心の角度とを含み、
前記第１の角度及び前記第２の角度はいずれも、１周回パルス、位相ロックループ、又は前記第１データ層若しくは前記第２データ層のうちの１つにおける所定のセクタ境界、のうちの１つに対して定められる、
請求項２２に記載の方法。
【請求項２３】
前記符号化された情報は、前記角度及び前記偏心パラメータのうちの少なくとも１つに関する関数から計算される少なくとも１つの識別子を含む、
請求項１４乃至２２のうちいずれか一項に記載の方法。
【請求項２４】
前記符号化された情報は、少なくとも２つの異なるセクタ対に関して定められる少なくとも２つの角度に関する情報を含み、夫々のセクタ対は、前記第１データ層における第１セクタ及び前記第２データ層における第２セクタを有する、
請求項１４乃至２３のうちいずれか一項に記載の方法。
【請求項２５】
前記符号化された情報は、当該データディスクに関し、バーストカッティングエリア及び無線周波数識別チップのうちの少なくとも１つにおいて提供される、
請求項１４乃至２４のうちいずれか一項に記載の方法。
【請求項２６】
前記第１データ層を第１の基板に形成するステップと、
前記第２データ層を第２の基板に形成するステップと、
前記第１の基板を前記第２の基板に固着するステップと
を更に有する、請求項１４乃至２５のうちいずれか一項に記載の方法。
【請求項２７】
前記第１データ層及び前記第２データ層を単一の基板に形成するステップ
を有する、請求項１４乃至２６のうちいずれか一項に記載の方法。
【請求項２８】
ディスク認証のための装置であって、
データディスクの第１データ層及び第２データ層に関連する角度及び偏心パラメータのうちの少なくとも１つを測定するよう構成されるディスク読み取り器と、
前記測定された角度及び前記測定された偏心パラメータのうちの少なくとも１つが前記データディスクにおける符号化された情報と整合するかどうかを決定するよう構成されるプロセッサと
を有し、
前記符号化された情報は、前記角度及び前記偏心パラメータのうちの少なくとも１つに関する、装置。
【発明の詳細な説明】
【技術分野】
【０００１】
本発明は、ディスク認証及び安全性のための方法及びシステムに関する。
【背景技術】
【０００２】
事前に記録されたコンテンツを有して作成又は製造される光データディスクを認証するための、多数の異なるアプローチが存在する。例えば、ＤＶＤ（Digital  Versatile  Disc）及びＢＤ（Blu-ray  Disc）のための既存の標準規格は、一意のデータ又は、それらのディスクをＢＣＡコーディングを介してシリアライズすることを提供する。他の方法、Ｐｏｓｔｓｃｒｉｂｅｄ  ＩＤ（登録商標）は、スタンピング処理の後にディスク表面上のピット間の面積を変更することによって、一意のＩＤデータをディスクに刻む。認証又は無許可の複製の防止のための他の方法は、Ｃａｒｓｏｎ、例えば、米国特許第７５６８０８１号（名称：Authenticating  a  Data  Storage  Medium  using  Predetermined  Inter-sector  Relationships）（特許文献１）及び米国特許第６４７７１２４号（名称：Varying  the  Rate  at  which  Data  Appear  on  an  Optical  Disc  Rotated  at  a  Constant  Linear  Velocity  to  Prevent  Unauthorized  Duplication  of  the  Disc）（特許文献２）によって論じられている。これらの特許文献は夫々、その全文を参照により本願に援用される。
【先行技術文献】
【特許文献】
【０００３】
【特許文献１】米国特許第７５６８０８１号
【特許文献２】米国特許第６４７７１２４号
【発明の概要】
【発明が解決しようとする課題】
【０００４】
しかしながら、依然として、ディスク認証のための代替の改善された方法に対する持続的な必要性が存在する。
【課題を解決するための手段】
【０００５】
本発明の実施形態は、ディスク認証における使用のための符号化された情報を有するデータディスク、該ディスクを形成する方法、ディスク認証の方法及びディスク認証のための装置を提供する。ＤＶＤ又はＢＤにおける２つのデータ層に関連する１又はそれ以上の角度及び偏心パラメータは、ディスク認証のために使用される。例えば、ＤＶＤ又はＢＤにおける２つのデータ層に関連する少なくとも角度及び／又は偏心パラメータに関する情報は、ディスク上で、例えば、ディスクに固着されたＲＦＩＤチップ又はバーストカッティングエリアコードにおいて、符号化され得る。ディスクを認証するよう、ディスクプレーヤは、２つのデータ層又はそれらのデータ層における２つのセクタに関連する角度及び／又は偏心のうちの少なくとも１つを検出し識別する必要がある。情報がＢＣＡコードにおいて前記符号化された情報と整合する場合は、ディスクは真正のディスクである。
【０００６】
一実施形態は、角度及び偏心パラメータのうちの少なくとも１つを特徴とする第１データ層及び第２データ層と、前記角度及び前記偏心パラメータのうちの少なくとも１つに関する符号化された情報とを有するデータディスクを提供する。
【０００７】
他の実施形態は、データディスクを形成する方法であって、少なくとも１つの基板に、角度及び偏心パラメータのうちの少なくとも１つを特徴とする第１データ層及び第２データ層を形成するステップと、前記角度及び前記偏心パラメータのうちの少なくとも１つに関する符号化された情報をデータディスクに設けるステップとを有する方法を提供する。
【０００８】
更なる他の実施形態は、ディスク認証の方法であって、第１データ層及び第２データ層と、該第１データ層及び第２データ層に関連する角度及び偏心パラメータのうちの少なくとも１つに関する符号化された情報とを有するデータディスクを提供するステップと、前記角度及び前記偏心パラメータのうちの少なくとも１つを測定するステップと、前記測定された角度及び前記測定された偏心パラメータのうちの少なくとも１つを前記符号化された情報と比較することによってデータディスク認証するステップとを有する方法を提供する。
【０００９】
更なる他の実施形態は、ディスク認証のための装置であって、データディスクの第１データ層及び第２データ層に関連する角度及び偏心パラメータのうちの少なくとも１つを測定するよう構成されるディスク読み取り器と、前記測定された角度及び前記測定された偏心パラメータのうちの少なくとも１つが前記データディスクにおける符号化された情報と整合するかどうかを決定するよう構成されるプロセッサとを有し、前記符号化された情報は、前記角度及び前記偏心パラメータのうちの少なくとも１つに関する、装置を提供する。
【図面の簡単な説明】
【００１０】
【図１Ａ】本発明の実施形態に従うディスク認証における使用のためのパラメータを伴ったデータディスクの２つのデータ層を表す。
【図１Ｂ】ディスク認証のために使用可能な２つのデータ層に関連する他のパラメータを表す。
【図１Ｃ】ディスク認証のために使用可能な２つのデータ層に関連する他のパラメータを表す。
【図２】本発明の実施形態に従うディスク認証における使用のための更なるパラメータを示すデータディスクの２つのデータ層の平面図である。
【発明を実施するための形態】
【００１１】
本発明の教示は、添付の図面とともに以下の詳細な説明を検討することによって容易に理解され得る。
【００１２】
事前に記録されたコンテンツを有して製造されるＢＤ又はＤＶＤ及びＣＤ（Compact  Disc）のようなデータディスクに関し、同じタイトルの各ディスクは、夫々のディスクが同じマスタ又はスタンパからの成形レプリカであることから、本質的に同一のデータを有する。二層式ＤＶＤ及びＢＤディスクは、垂直面において積層される２つのデータ層を特色とする（例えば、両データ層が別個の基板に成形されているＤＶＤ、及び一方のデータ層が単一の基板に成形され、他方のデータ層がエンボス加工されているＢＤ）。特定のディスクタイトルに係るデータ層又は関連するデータはディスク毎に相違せず、一方、２つのデータ層に関連する１又はそれ以上の角度（例えば、第１データ層における１のセクタと第２データ層における他のセクタとの間に定められる相対角度、又は２つのデータ層の間の相対的な向きを表す配向若しくは結合角度）と、他方の層に対する一方の層の偏心パラメータとは、製造及び接着工程によって決定されるように、ディスク毎に有効に一意である。様々な角度及び偏心パラメータが個々のディスクに関して識別又は決定され得る場合に、それらは、さもなければ同じであるディスクどうしを区別するための識別子として使用され得る。
【００１３】
ディスク製造過程は、第２データ層を付加する結合又はエンボス加工段階の前に、望ましくは成形方向に合わせられるディスク（例えば、ＤＶＤの半分のディスク、又は第２データ層の形成前のＢＤ）が、ディスクが静止する角度方向及びサーボスピンの挙動によって左右されるように、ランダムに方向を混乱させられる非系統的な回転動作を伴う。２つのデータ層は（例えば、２つのデータ層を有するＤＶＤに関しては２つの半ディスク又は基板を固着することによって、又はＢＤ基板に第２データ層を形成することによって）互いに対して恒久的に固定又は結合されるので、それらの層に関連する様々な角度と、他方の層に対する且つディスクの中心の穴に対する一方の層の、大きさ及び角度の意味おける偏心とは、認証目的に使用され得る一意の特性である。それらのパラメータの幾つかは図１及び図２に関して議論される。この議論において、データ層を基板に形成することはまた、データ層が基板によって支持される中間層に形成される状況を含む。
【００１４】
図１Ａは、２つのデータ層Ｌ０及びＬ１のセクタ間に定められ得る相対角度と、第２データ層Ｌ１に対する第１のデータ層Ｌ０の偏心とを表す二層式データディスクの概略図である。セクタ０−Ｘ及びセクタ１−Ｙは、ディスク認証における使用のために予め決定、認識又は選択される、各層に１つである２つの別個のセクタである。セクタ０−Ｘ及びセクタ１−Ｙはセクタ対とも呼ばれ得る。角度０−Ｘ及び角度１−Ｙ（セクタ角度と呼ばれることがある）は、二層式ディスクの基準点に対するそれらのセクタの別個の回転角度である。例えば、あるセクタの回転角度は、そのセクタの基準位置とデータ層の中心とを結ぶ線に関して定められ得る。なお、セクタの基準位置は、セクタ境界又はそのセクタ内の他の所定の点であってよい。二層式ディスクのための基準点（図１ＡではＲとして示される）は、例えば、ＰＬＬ（位相ロックループ）を介してディスクドライブ又はプレーヤによって自己形成される得か、又は１周回（once  per  revolution）パルスによって生成され得る任意の基準である。
【００１５】
偏心Ｌ０−Ｌ１は、Ｌ０ディスク層に対するＬ１ディスク層の偏心である。図１Ａでは、この偏心の大きさしか示されていない。すなわち、データ層Ｌ０及びＬ１の中心間のオフセット又は物理的距離である。偏心の角度は、ディスク識別子として使用され得る他のパラメータであって、Ｌ０又はＬ１における固定セクタ（例えば、セクタ境界又はセクタにおける基準点）を、又は１周回パルスではない他の基準角度を基準とする必要がある。この偏心の角度は更に、図２を参照して以下で論じられる。
【００１６】
Ｌ０及びＬ１データ層の相対角度（角度０−Ｘと角度１−Ｙとの間の差によって与えられる）と、偏心Ｌ０−Ｌ１とは、本質的にディスクの一意の物理特性であり、ディスク毎に容易に再現され得ない。従って、それらのパラメータは、個々に又は組み合わせて、ディスクを認証するための保護手段として使用され得る。
【００１７】
二層式又は多層式ディスクにおける２つのデータ層の固定の相対的な向きを表す他の角度がまた、ディスク認証のために使用され得る。２つのデータ層のこの相対的な向きは、Ｌ０及びＬ１層（すなわち、ＤＶＤのための半ディスク）における２つの所定の基準位置に夫々基づき定められ得る。
【００１８】
これは図１Ｂにおいて表されている。図１Ｂは、２つのＤＶＤ半ディスクの結合又はＢＤにおけるＬ１データ層の形成の前に選択されたＬ０層における基準線又は特徴Ｒ０及びＬ１層における基準線又は特徴Ｒ１を示す。この例では、基準線Ｒ０及びＲ１はいずれも、それらの夫々の“成形方向基準”に対して同じ向き又は角度の関係（例えば、角度β）を有する（すなわち、基板のための金型に対するデータ層の固定の関係）。線Ｍ０−Ｍ０′はＬ０層に係る成形方向基準であり、Ｍ１−Ｍ１′はＬ１に係る成形方向基準である。Ｒ０とＲ１との間の角度は、この例示では０である。
【００１９】
Ｌ０及びＬ１データ層が製造（例えば、ＤＶＤのための２つの半ディスクの固着、又はＢＤのためのＬ１層の形成）の間に恒久的に固定された後、Ｒ０及びＲ１基準線の相対的な向きは、図１Ｃに示されるように、通常は（非系統的な回転及び／又は固着動作に起因して）互いに対して変化する。Ｒ０とＲ１との間の角度はこの場合に固定角度γによって与えられ、この角度は、Ｌ０層とＬ１層との間の位置づけを表す固定角度に対応する。この角度はまた、配向又は結合角度とも呼ばれることがある。この結合角度の測定は、内部グラフィクスバンド特徴又は他の適切な基準を検出するためにカメラシステムを用い且つＬ０層とＬ１層との間の特徴又は基準の角度変位を測定して、実行され得る。
【００２０】
幾つかの偏心パラメータが図２において表されている。図２は、Ｌ０及びＬ１ディスク又は基板（大きい実線円）の平面図とともに、Ｌ０及びＬ１基板のための夫々のデータトラックＬ０及びＬ１（破線円）並びに内側又は中心の穴Ｈ０及びＨ１（小さい実線円）を示す。Ｃ０及びＣ１は、夫々のＬ０及びＬ１基板の中心に相当し、穴Ｈ０及びＨ１の中心でもある。一般に、Ｌ０及びＬ１基板は、基板の固着の間の不完全な整列のために、互いに対して僅かにオフセットされる。Ｌ０及びＬ１データトラック又は層の夫々はまた、Ｌ０及びＬ１基板の夫々の中心（又は中心の穴）に対して同心でない。従って、Ｌ０及びＬ１データ層又はトラックの中心ＴＣ０及びＴＣ１は、ディスク又は基板の中心Ｃ０及びＣ１と同心でない。
【００２１】
Ｌ０及びＬ１基板及びそれらの夫々のデータ層又はトラックの偏心に関連する様々なパラメータが図２において示されている。それらは：
ａ）Ｃ１とＣ０との間のオフセットによって表される、Ｌ０中心穴に対するＬ１中心穴の偏心；
ｂ）ＴＣ０とＣ０との間のオフセットによって表される、Ｌ０中心穴に対するＬ０データトラックの偏心；及び
ｃ）ＴＣ１とＣ０との間のオフセットによって表される、Ｌ０中心穴に対するＬ１データトラックの偏心
の大きさを含む。
【００２２】
Ｌ１及びＬ０データ層又はトラックの間の偏心の大きさ（図１Ａに示される）は、ＴＣ１とＴＣ０との間のオフセット又は距離によって与えられる。
【００２３】
Ｌ１及びＬ０データ層の間の偏心角度は、角度α０及びα１の間の差によって与えられる（この差は時々、相対偏心角度と呼ばれることがある）。ここで、α０及びα１は、Ｌ０ディスクの中心穴に合わせられ且つ第１データ層又は第２データ層のうちの一方における所定のセクタ境界に対して定められるディスクの再生の間の回転軸との夫々のＬ０及びＬ１データ層ごとの偏心角度である。図２に示されているように、α０は、Ｌ０データトラック及びＬ０ディスクの夫々の中心を結ぶ線（ＴＣ０及びＣ０を結ぶ線）と、Ｃ０を通る任意の基準線ＲＬとの間の角度であり、α１は、Ｌ１データトラック及びＬ０ディスクの夫々の中心を結ぶ線（ＴＣ１及びＣ０を結ぶ線）と、同じ基準線ＲＬとの間の角度である。実際に、基準線ＲＬは、Ｌ０データ層又はＬ１データ層における所定のセクタ位置（例えば、セクタ境界又はセクタにおける基準点）、又は回転角度がカメラによって行われるべき場合には特定の内部グラフィクスバンド項目又は特徴であってよい。相対偏心角度（すなわち、α０とα１との間の差）の測定のために、基準はまた、例えば、１周回パルス又はＰＬＬにより生成される外部参照であってよい。
【００２４】
更に、角度α０及びα１は夫々、Ｌ０層及びＬ１層のための更なるパラメータを定義するために使用され得る。例えば、Ｌ０層に係る偏心角度は、Ｌ０層におけるセクタに係る所与（既知又は所定）のセクタ境界角度と角度α０との間の差として定められ得る。他の偏心角度は、Ｌ０又はＬ１層におけるセクタに係る所与（既知又は所定）のセクタ境界角度と角度α１との間の差として、Ｌ１層に関して定められ得る。
【００２５】
セクタ位置を検出するために光学ドライブを用いる偏心角度の測定が当業者に知られている。しかし、カメラが測定のために使用される場合は、光学ドライブにおいて内部グラフィクスバンドと比較されるセクタ境界角度を最初に測定し、次いでこの角度を用いてカメラによる測定の間にセクタ境界と偏心角度との間の角度差を計算することが必要である。
【００２６】
製造過程の間、２つの層に関連する様々な角度及び偏心パラメータが、ＤＶＤ／ＢＤディスク読み取り器、インラインスキャナのようなカメラシステム、又はそのような測定に適した他の同様の装置によって決定され得る。次いで、相対角度、結合若しくは配向角度、及び／又は偏心パラメータに関する情報が、ディスク又はディスクに固着されたＲＦＩＤ（無線周波数識別）（Radio  Frequency  IDentification）チップでＢＣＡコードにおいて符号化され得る。ＢＣＡデータは複製又は偽造されることがある一方、ディスクの２つの層の間の相対角度又は結合角度及び偏心パラメータを制御することは実質的に不可能である。これは、それらのパラメータ（又はそれらのパラメータに基づくか又はそれらのパラメータから導出される識別子）を認証目的に適合させる。更に、Ｌ０及びＬ１層におけるどのセクタが相対角度を定義するために使用されるかに関する情報もＢＣＡデータの部分として提供されるべきであり、あるいは別なふうに、ディスク認証を行うディスクドライブ又は読み取り器に知らせるか又は利用可能にされるべきである。
【００２７】
コンピュータにより制御される光学ドライブシステムであってよいディスク認証システムにおいて、ホストアプリケーションは、例えば、ディスクに対して実行される測定に基づき、それらのパラメータに関する情報を提供するようディスクドライブ又はプレーヤに要求することができる。偽造ディスクは、測定されたパラメータとＢＣＡデータにおける符号化された情報との間の情報不整合をもたらす。
【００２８】
一意のディスク識別子を提供するＰｏｓｔｓｃｒｉｂｅｄ  ＩＤ（登録商標）又はＢＣＡコーディングのような既存の方法が存在するが、それらの方法は、ディスクの如何なる一意の物理特性もＢＣＡにおいて符号化されたデータと結びつけないので、本発明と相違する。
【００２９】
本発明は、２つのデータ層に関連する１又はそれ以上の角度及び／又は偏心パラメータを検出し識別することができ、それらのパラメータのうちの１又はそれ以上をＢＣＡにおける符号化された情報と比較するＤＶＤ及びＢＤプレーヤに依存する。例えば、ＤＶＤ又はＢＤプレーヤにおけるマイクロプロセッサ又はデジタル信号プロセッサは、所定のセクタ位置の検出として定義されるイベント間のタイミング測定を実行することができる。データレート又はディスク回転速度のような、プロセッサに知られたタイミングデータ及び他の情報から、角度及び偏心が計算され得る。ディスク製造段階で、相対／結合角度及び偏心はディスク読み取り器若しくはドライブ、又はカメラに基づくシステムのような他の装置によって検出され得る。適用段階（例えば、ベンダー、店、顧客の家、等）で、それらの施設で利用可能なＤＶＤ／ＢＤプレーヤは、ＢＣＡコードを読み出すデジタル信号処理ユニットと、測定結果をＢＣＡコンテンツと比較するマイクロプロセッサとにより、それらの特性を測定することができなければならない。
【００３０】
角度位置が測定されるべき物理セクタ（例えば、セクタの境界又は他の基準点）に関するデータは、例えば、夫々のディスクのＢＣＡの部分としてＤＶＤ／ＢＤにおいて設けられ得、あるいは別なふうに、認証を実行する関係者又は装置に知らせるか又は利用可能にされ得る。同じ所定セクタが全てのディスクタイトルの認証に使用され得るが、更なる安全性のために異なるタイトルごとに異なるセクタ対を使用することが望ましい。
【００３１】
大部分の読み取り器は、定角速度（ＣＡＶ）でディスクを回転させ、ドライブ軸から１周回パルスへのアクセスを生成するか又は有することができる。このパルスに対する読み出し回数は、物理的なセクタ境界の角度を計算するために使用され得る。読み取り器が一方のデータ層から他方のデータ層へジャンプするときに１周回パルスの角度が保持される場合は、既知のセクタごとの角度は各層から決定され得、相対角度は、対応するデータにおける２つのセクタに関して計算される（図１における０−Ｘ及び１−Ｙ）。つまり、トラックジャンプモードにおけるＣＡＶ  ＤＶＤ又はＢＤに関して、時間遅延が、対応するセクタ位置に関する情報を提供するために使用され得る。この手法はまた、変化する回転周波数が考慮される場合に、ＣＬＶモード（すなわち、回転速度が半径により変換する定線速度）を用いるプレーヤに有効である。
【００３２】
偏心測定のために、十分な精度を有して偏心パラメータを決定する角分解能は、相当に高くなければならず、ドライブ側における実際の適用において、例えば１度範囲に制限されてよく、一方、それは製造段階で達成する方がより容易であり、約１０倍のより良い分解能、例えば、約０．１度を有することができる。
【００３３】
本発明の認証方法に伴う潜在的な欠点は、一部のデータディスクがそれらの測定される角度及び／又は偏心パラメータに関連する同じ識別子を有することがあり得る点である。これは、角度及び／又は偏心を測定するために使用される設備の有限な精度に起因して起こりえる。例えば、角度は１００個の異なる角度を区別することができる精度により決定されてよく、偏心測定は１０個の異なる距離及び１０個の異なる角度の区別を可能にすると仮定する。これは、角度／偏心の組み合わせに関連する識別子に関し１００×１０×１０＝１００００通りの値を生じさせる。その場合に、１００００よりも少ないユニットの製造工程においてさえ、一部のディスクは同じ識別子を共有することが起こりえる。しかし、これは、角度及び偏心を結合する目標の又は所定の組み合わせを有してディスクを製造することが基本的には不可能であることから、認証のために深刻な制限を持ち出すべきではない。
【００３４】
上述されたように、ディスクの中心穴（例えば、Ｌ０基板の中心穴）に対する偏心は、認証のために使用可能な他の一意のパラメータである。しかし、ディスククランピング機構の不確かさが考慮される必要があり、特定の設備に依存して、ディスク認証のためのこの特性の実用性を制限することがある。更に、クランピングの不確かさがディスクの実際の中心穴（すなわち、Ｌ０基板の中心穴）に対するデータトラックの偏心と同程度の大きさにある場合は、トラッキングエラー信号交差を観測することによってオープントラックモードにおいて２つの層の相対偏心角度を決定することは可能でない。ディスクの中心穴に対するトラック偏心の規格限界はおおよそＤＶＤに関して５０ミクロン、ＢＤに関して３７．５ミクロンであるから、既存のものよりも精度が改善されたクランピング機構が偏心パラメータの信頼できる測定のために必要とされ得る。
【００３５】
大部分の保護手段と同様に、結合角度及び／又は偏心パラメータ（又はそれらの特性から導出される他の識別子）に基づくディスク認証は、安全性の様々な度合いとともに実施され得る。唯一のディスク識別子として結合角度を用いる認証方法は、相対及び／又は結合角度が観測及び測定するのが比較的容易であることから、偽造グループによってより改善されやすい。例えば、ＢＣＡコードにおける相対及び／又は結合角度の符号化が認証のために使用されていることを偽造グループが認識する場合に、偽造ディスクの製造の間、夫々のディスクの相対及び／又は結合角度は偽造ディスクのために決定されてＢＣＡに符号化され得る。
【００３６】
更に、相対角度、結合角度又は偏心パラメータのみ、すなわち、単一の番号又は識別子が使用される場合は、ハッキングされたドライブファームウェアは、ディスクの角度及び／又は偏心に関するＢＣＡコードにおける情報に整合する番号を報告するよう構成され得る。ここで、ＢＣＡコードは、サンプル海賊版ディスクからコピーされる必要がある。
【００３７】
ハッキングされたファームウェアはまた、たとえ実際には偽造ディスクには符号化された角度情報が存在しないとしても、測定された角度とＢＣＡコードからの情報との整合を単純に報告するよう構成され得る。
【００３８】
偽造者からのそのような潜在的な策略を防ぐよう、より安全な方法、例えば、更なる角度対を測定し、ディスクドライブからホストへのより複雑な応答を要求するといった方法が使用され得る。例えば、複数の角度対が認証のために使用可能であり、夫々の角度対は、Ｌ０及びＬ１の夫々における異なるセクタ境界を基準とする角度に対応するか又はその角度から成る。つまり、複数のセクタ対（例えば、夫々の角度対及び相対角度を定める図１における０−Ｘ及び１−Ｙ）がディスク認証における使用のために予め選択され得る。夫々のセクタ対は、第１データ層における第１セクタ及び第２データ層における第２セクタを有する。測定された角度を表す識別子は、ディスクプレーヤ又は読み取り器に知られるか又は利用可能な所定の関数を用いて確立され得る。次いで、ホストは、場合により、ハッキングされたファームウェアが結合角度の課題に対する正しい応答になりすますことを困難にする暗号化関数において、多角応答に基づき所要のＢＣＡコンテンツを計算する。
【００３９】
上記の潜在的な限界にかかわらず、本原理に基づくディスク認証は依然として、予め記録されたディスクを偽造することに対する有効な障壁を提供することができる。２つの層の間の相対又は結合角度は有効に一意又は疑似ランダムであるから、一意の相対若しくは結合角度及び／又は偏心の組み合わせの数（ディスクプレーヤ又は読み取り器の有限な角度分解能を考慮する）は依然として、符号化されたＢＣＡ情報と、測定された物理的なレイヤ間（結合）角度、若しくは既知のセクタ対に係る相対角度、及び／又は偏心パラメータとの間のデータ不整合に基づき偽造対抗技術を可能にすることができる。
【００４０】
同じドライブが予め記録されたディスク及び記録可能なディスクに関して角度（例えば、２つのデータ層におけるセクタ間の相対角度）及び／又は偏心パラメータを決定するために使用され得る一方、それは、通常は予めＢＣＡコードを有する記録可能なディスクにおいてＢＣＡコードを書き込むことはできない。同様に、記録可能なディスクの製造過程はまたサーボ回転工程を含み、結合の前に２つの層を同期化又は整列させることによって結合又は配向角度を制御することは実際には不可能である。
【００４１】
よって、本原理は、ディスクのデータ層及びＢＣＡの両方に関してホストアプリケーションによって安全に厳密に調べられ得る相対若しくは結合角度及び／又は偏心に関する情報に基づき、予め記録されたディスク及び記録可能なディスクの両方の認証のために実施され得る。本発明の実施形態は、本原理に従って、ディスク認証における使用のための符号化された情報を有するデータディスク、該ディスクを形成する方法、ディスク認証の方法及びディスク認証のための装置を提供する。装置は、データディスクの１又はそれ以上の物理的な特性又はパラメータを測定し、該測定されたパラメータがディスクに設けられた符号化された情報と整合するかどうかを決定することによって、認証を実行するよう構成されるディスク読み取り器又はプレーヤを有してよい。上記の例及び議論は、二層式ディスクに関して角度及び／又は偏心パラメータを測定することに焦点を当ててきたが、本原理は、いずれか２つのデータ層の間の測定される角度及び／又は偏心パラメータがディスク認証のために使用され得る多層式ディスク（すなわち、少なくとも２つのデータ層を有するディスク）に適用又は適合され得る。
【００４２】
上記が本発明の様々な実施形態を対象とする一方、本発明の他の実施形態はその基本的範囲から逸脱することなしに考案されてよい。例えば、上記の例において記載される１又はそれ以上の特徴は変更され、省略され、及び／又は異なる組み合わせにおいて使用されてよい。よって、本発明の適切な適用範囲は、特許請求の範囲に従って決定されるべきである。
【００４３】
［関連出願の相互参照］
本願は、２０１１年９月２３日付けで出願された米国特許仮出願第６１／５３８７９０号（名称：Disc  Authentication  and  Security  System  via  Relative  Physical  Alignment  of  Data  Layers）に基づく優先権を主張するものである。なお、前記の米国特許出願は、その全文を参照により本願に援用される。
【図１Ａ】
2014531697.tif 000003
【図１Ｂ】
2014531697.tif 000004
【図１Ｃ】
2014531697.tif 000005
【図２】
2014531697.tif 000006
【国際調査報告】
2014531697.tif 000007
2014531697.tif 000008
2014531697.tif 000009
2014531697.tif 000010